(57)【要約】【課題】　接続元の無線通信装置がサービス提供可能な無線通信装置と接続を行うことが可能な無線通信システムを提供することである。【解決手段】　接続元の無線通信装置としてのワイヤレスヘッドセット２から送出された発見要求の受信に応答して、自身における現在のサービス提供環境に基づいて、接続先の候補となる携帯電話１ａ及び１ｂは、現在サービスを提供可能か否かを判断する。ここで、携帯電話１ａのみが、現在サービスを提供可能な場合には、今回受信した発見要求に対する発見応答を、ワイヤレスヘッドセット２に送出する。ワイヤレスヘッドセット２は、発見応答の受信に応答して、発見応答を返してきた携帯電話１ａを接続先として選択する。【選択図】　図１Ｃ 
2004104774.tif 000002
【特許請求の範囲】
【請求項１】
　第一の無線通信装置が無線通信リンクを通じて、一つ又は複数の第二の無線通信装置が提供する複数種別のサービスの中から選択された一つのサービスの提供を受けることが可能な無線通信システムであって、
　前記第一の無線通信装置は、無線通信リンクの確立に必要な発見要求を送出する第一の無線通信部を備え、
　各前記第二の無線通信装置は、
　　サービスを提供する少なくとも一つのサービス提供部と、
　　前記第一の無線通信部から送出された発見要求を受信する第二の無線通信部と、
　　前記第二の無線通信部における発見要求の受信に応答して、前記サービス提供部における現在のサービス提供環境に基づいて、現在サービスを提供可能か否かを判断する判断部とを備え、
　前記第二の無線通信部はさらに、現在サービスを提供可能という前記判断部での判断結果に従って、今回受信した発見要求に対する発見応答を送出し、
　前記第一の無線通信部はさらに、前記第二の無線通信部から送出された発見応答を受信し、
　前記第一の無線通信装置はさらに、前記第一の無線通信部における発見応答の受信に応答して、接続先となる第二の無線通信装置を選択する接続先選択部を備え、
　前記第一の無線通信部はさらに、前記接続先選択部で選択された第二の無線通信装置に向けて、無線通信リンクを確立するための接続要求を送出する、無線通信システム。
【請求項２】
　前記第二の無線通信装置は、無線通信リンクを確立後、遠隔の機器から取得したデータを前記第一の無線通信装置に向けて送出する、請求項１に記載の無線通信システム。
【請求項３】
　無線通信リンクを通じて、接続元の無線通信装置に一つ又は複数種別のサービスの提供可能な無線通信装置であって、
　サービスを提供する少なくとも一つのサービス提供部と、
　前記接続元から送出された発見要求を受信する無線通信部と、
　前記無線通信部における発見要求の受信に応答して、前記サービス提供部が現在サービスを提供可能か否かを、前記サービス提供部における現在のサービス提供環境に基づいて判断する第一の判断部とを備え、
　前記無線通信部はさらに、現在サービスを提供可能という前記第一の判断部での判断結果に従って、今回受信した発見要求に対する発見応答を送出する、無線通信装置。
【請求項４】
　前記無線通信部は、現在サービスを提供可能という前記第一の判断部での判断結果に従って、今回受信した発見要求に対して、現在提供可能なサービスを表す提供サービス情報を含む発見応答を送出する、請求項３に記載の無線通信装置。
【請求項５】
　前記無線通信部は、接続元が要求するサービスを表す要求サービス情報を含む発見要求を受信し、
　前記無線通信装置はさらに、前記無線通信部が受信した発見要求で要求されるサービスと、前記サービス提供部が提供しているサービスと一致するか否かを判断する第二の判断部をさらに備え、
　前記無線通信部はさらに、両サービスが一致するという前記第二の判断部の判断結果と、現在サービスを提供可能という前記第一の判断部での判断結果とに従って、今回受信した発見要求に対する発見応答を送出する、請求項３に記載の無線通信装置。
【請求項６】
　前記無線通信部は、接続元がサポートしているサービスを表す対応サービス情報を含む発見要求を受信し、
　前記無線通信装置はさらに、前記無線通信部が受信した発見要求で指定されるサービスを、前記サービス提供部が提供しているか否かを判断する第二の判断部をさらに備え、
　前記無線通信部はさらに、指定されたサービスを提供しているという前記第二の判断部の判断結果と、現在サービスを提供可能という前記第一の判断部での判断結果とに従って、今回受信した発見要求に対する発見応答を送出する、請求項３に記載の無線通信装置。
【請求項７】
　前記無線通信部は、現在サービスを提供可能という前記第一の判断部での判断結果に従って、今回受信した発見要求に対し、サービス提供環境を含む発見応答を送出する、請求項３に記載の無線通信装置。
【請求項８】
　接続先の前記無線通信装置が、無線通信リンクを確立後、遠隔の機器から取得したデータを前記接続元の無線通信装置に向けて送出し、
　前記サービス提供環境は少なくとも、接続先の前記無線通信装置と前記遠隔の機器との通信環境を含む、請求項７に記載の無線通信装置。
【請求項９】
　前記サービス提供環境は少なくとも、接続先の前記無線通信装置の種類、接続先の前記無線通信装置における電波の受信状態、接続先の前記無線通信装置の通信速度及び通信コスト、並びに接続先の前記無線通信装置が搭載する電池の残量及びプロセッサの処理能力のいずれかを含む、請求項８に記載の無線通信装置。
【請求項１０】
　無線通信リンクを通じて、一つ又は複数の接続先の無線通信装置が提供する複数種別のサービスの中から選択された一つのサービスの提供を受けることが可能な無線通信装置であって、
　無線通信リンクの確立に必要な発見要求を送出する無線通信部を備え、
　各前記接続先の候補は、
　　少なくとも一つのサービスを提供可能であり、
　　前記無線通信部から送出された発見要求の受信に応答して、自身が現在サービスを提供可能か否かを、現在のサービス提供環境に基づいて判断し、
　　現在サービスを提供可能という判断結果に従って、今回受信した発見要求に対する発見応答を送出し、
　前記無線通信部はさらに、前記接続先から送出された発見応答を受信し、
　前記無線通信装置はさらに、前記無線通信部における発見応答の受信に応答して、接続先を選択する接続先選択部を備える、無線通信装置。
【請求項１１】
　各前記接続先の候補は、前記無線通信部から送出された発見要求の受信に応答して、自身が現在サービスを提供可能である場合に、今回受信した発見要求に対して、サービス提供環境を含む発見応答を送出し、
　前記無線通信装置はさらに、前記サービス提供環境毎に優先順位が割り当てられた優先順位情報を記憶する優先順位記憶部を備え、
　前記接続先選択部は、前記優先順位記憶部が記憶する優先順位情報に基づいて、接続先を選択する、請求項１０に記載の無線通信装置。
【請求項１２】
　前記優先順位記憶部が記憶すべき優先順位情報を入力するための優先順位入力部をさらに備える、請求項１１に記載の無線通信装置。
【請求項１３】
　第一の無線通信装置が無線通信リンクを通じて、一つ又は複数の第二の無線通信装置が提供する複数種別のサービスの中から選択された一つのサービスの提供を受けることが可能な無線通信システムにおいて、無線通信リンクを確立する方法であって、
　前記第一の無線通信装置から送出された発見要求の受信に応答して、前記第二の無線通信装置が現在サービスを提供可能か否かを、前記第二の無線通信装置における現在のサービス提供環境に基づいて、各前記第二の無線通信装置が判断する判断ステップと、
　現在サービスを提供可能という前記判断ステップでの判断結果に従って、今回受信した発見要求に対する発見応答を前記第二の無線通信装置が送出する第一の送出ステップと、
　前記第一の送出ステップにおける発見応答の受信に応答して、接続先となる第二の無線通信装置を前記第一の無線通信装置が選択する接続先選択ステップと、
　前記接続先選択ステップで選択された第二の無線通信装置に向けて、無線通信リンクを確立するための接続要求を前記第一の無線通信装置が送出する第二の送出ステップとを備える、無線通信リンク確立方法。
【発明の詳細な説明】
【技術分野】
【０００１】
　本発明は、無線通信システムに関し、より特定的には、接続元の無線通信装置が無線通信リンクを通じて、一つ又は複数の接続先の無線通信装置から、複数種別のサービスのいずれかの提供を受けることが可能な無線通信システムに関する。
【背景技術】
【０００２】
　近年、携帯電話に代表される移動体通信装置が急速な普及を見せている。また、近距離無線技術の発達が急速に進んできている。以上のような背景から、少なくとも２台の移動体通信装置間、少なくとも１台ずつの移動体通信装置及び周辺機器の間における近距離無線データ通信が広く普及しつつある。このような近距離無線技術の例としてＢｌｕｅｔｏｏｔｈが挙げられる。Ｂｌｕｅｔｏｏｔｈは、指向性が弱い電波を利用した近距離無線データ通信方式で、半径１０ｍ程度の領域内の無線通信装置間を、電波によりアドホックに無線接続することができるものである。モジュールを小型・低消費電力に設計できるという特徴があるため、Ｂｌｕｅｔｏｏｔｈは、携帯電話、ＰＤＡ（Ｐｅｒｓｏｎａｌ　Ｄｉｇｉｔａｌ　Ａｓｓｉｓｔａｎｔ）及びワイヤレスヘッドセットのような移動体通信装置又はその周辺機器を中心に搭載されてきている。
【０００３】
　ここで、図２８Ａ，図２８Ｂ及び図２８Ｃは、Ｂｌｕｅｔｏｏｔｈを実装した無線通信装置同士が無線接続を行う場合の手順の初期段階、中期段階及び後期段階を示す模式図である。また、図２８Ａ−図２８Ｃには、３台の無線通信装置として、それぞれがＢｌｕｅｔｏｏｔｈインタフェースを搭載する携帯電話１００ａ、携帯電話１００ｂ及びワイヤレスヘッドセット２００が示されている。
【０００４】
　ここで、携帯電話１００ａ及び１００ｂについて簡単に説明する。図２９は、図２８Ａ−図２８Ｃに示す各携帯電話１００ａ及び１００ｂの構成を示すブロック図である。図２９において、各携帯電話１００ａ及び１００ｂは、近距離無線データ通信のために、第一のアンテナ１０１と、無線通信部１０２と、応答制御部１０３とを備える。ここで、無線通信部１０２は、発見要求受信部１０４と、応答送信部１０５とを含んでいる。さらに、各携帯電話１００ａ及び１００ｂは、音声通話のために、第二のアンテナ１０６と、移動体通信部１０７とを備える。
【０００５】
　また、ワイヤレスヘッドセット２００は、近距離無線データ通信可能に構成されている。また、好ましくは、ワイヤレスヘッドセット２００は、携帯電話１００ａ及び１００ｂが発信すべき相手側の電話番号をダイヤル可能に構成されている。
【０００６】
　また、図３０は、図２８Ａ−図２８Ｃに示す各携帯電話１００ａ及び１００ｂの具体的な処理を示すシーケンスチャートである。
【０００７】
　以上の各図を用いて、Ｂｌｕｅｔｏｏｔｈにより、ワイヤレスヘッドセット２００が無線接続を行う場合を例に取り上げて概説する。図２８Ａ及び図３０に示すように、初期段階において、ワイヤレスヘッドセット２００の無線通信部（図示せず）は、自身の周囲に存在する携帯電話１００ａ及び１００ｂに向けて、Ｂｌｕｅｔｏｏｔｈリンク確立のための発見要求を送出する。
【０００８】
　また、図２８Ｂ及び図３０に示すように、中期段階において、携帯電話１００ａ及び１００ｂはそれぞれ、自身を特定するためのＢｌｕｅｔｏｏｔｈ機器アドレス（以下、ＢＤアドレスと称する）を含む発見応答をワイヤレスヘッドセット２００に向けて送出する。この時、各携帯電話１００ａ及び１００ｂは、以下の処理を行う。図２９に示すように、各携帯電話１００ａ及び１００ｂにおいて、第一のアンテナ１０１を通じて、発見要求受信部１０４は、ワイヤレスヘッドセット２００から送出された発見要求を受信する。発見要求受信部１０４は、応答制御部１０３へ発見要求を受信したことを通知する。この通知に応答して、応答制御部１０３は、上述の発見応答を作成して、作成した発見応答を送信するよう、応答送信部１０５に指示する。応答送信部１０５は、第一のアンテナ１０１を通じて、応答制御部１０３により指示された発見応答を送出する。
【０００９】
　さらに、図２８Ｃ及び図３０に示すように、後期段階において、ワイヤレスヘッドセット２００は、複数の発見応答を受信した場合、ユーザの操作に従って、発見応答を送ってきた携帯電話１００ａ及び１００ｂのうちの一つを選択して、選択したものとの間で、Ｂｌｕｅｔｏｏｔｈリンクの確立つまり無線接続を、選択されたものと行う。
【００１０】
　ここで、ワイヤレスヘッドセット２００は、まず、携帯電話１００ｂを接続先として選択し、Ｂｌｕｅｔｏｏｔｈリンク確立を行ったと仮定する。リンク確立後、図３０に示すように、ユーザは、携帯電話１００ｂで音声通話するために、ワイヤレスヘッドセット２００を使ってダイヤルする。しかし、携帯電話１００ｂが通話圏外に位置するため発信ができないこと、つまり現在の接続相手からはサービスの提供を受けることができないことが分かり、ワイヤレスヘッドセット２００は、結局、発見応答を送ってきたもう一方の携帯電話１００ａを、ユーザの操作に従って選択し、Ｂｌｕｅｔｏｏｔｈリンク確立を行う。その後、携帯電話１００ａにおいて、移動体通信部１０７は、音声通話というサービスをユーザに提供するために必要となる音声データの交換を、第二のアンテナ１０６を通じて行う。
【００１１】
　以上のように、このような近距離無線データ通信の機能を搭載した無線通信装置が広く普及し、身近に数多く存在するようになると、ユーザが無線通信装置同士を無線接続しようとしたときに、接続先を選択するなどの操作が煩わしく、無線通信装置同士を簡単に接続できないという問題がある。無線通信システムにおける接続先の特定を簡単に行う方法として、ユーザが所望する接続先の無線通信装置から赤外線通信を用いてＢＤアドレスを送信させ、接続元の無線通信装置が受信した機器ＩＤをもとに、Ｂｌｕｅｔｏｏｔｈのリンク確立を行うというものもある（例えば、特開２００２−１２５２６８号公報を参照）。
【特許文献１】特開２００２−１２５２６８号公報
【発明の開示】
【発明が解決しようとする課題】
【００１２】
　しかしながら、従来の無線接続方法では、無線通信装置を操作してＢＤアドレスをユーザが選択する必要があったり、無線接続を行ったが接続先の無線通信装置がサービスを提供可能な状態ではなかったために、接続元の無線通信装置がサービスを受けることができず、無駄な接続処理を行ったりするという問題点がある。なお、上述の特許公開公報における接続方法によれば、確実にユーザの所望する無線通信装置同士を接続することが可能であるが、サービスを提供可能な無線通信装置と、接続元の無線通信装置とを接続することを保証するものではない。
【００１３】
　それ故に、本発明の目的は、ユーザの操作負担を軽減しつつ、接続元の無線通信装置がサービス提供可能な無線通信装置と接続を行うことが可能な無線通信システムを提供することである。
【課題を解決するための手段】
【００１４】
　上記目的を達成するために、本発明の第一の局面は、第一の無線通信装置が無線通信リンクを通じて、一つ又は複数の第二の無線通信装置が提供する複数種別のサービスの中から選択された一つのサービスの提供を受けることが可能な無線通信システムであって、第一の無線通信装置は、無線通信リンクの確立に必要な発見要求を送出する第一の無線通信部を備える。また、各第二の無線通信装置は、サービスを提供する少なくとも一つのサービス提供部と、第一の無線通信部から送出された発見要求を受信する第二の無線通信部と、第二の無線通信部における発見要求の受信に応答して、サービス提供部における現在のサービス提供環境に基づいて、現在サービスを提供可能か否かを判断する判断部とを備える。第二の無線通信部はさらに、現在サービスを提供可能という判断部での判断結果に従って、今回受信した発見要求に対する発見応答を送出する。
【００１５】
　第一の無線通信部はさらに、第二の無線通信部から送出された発見応答を受信する。第一の無線通信装置はさらに、第一の無線通信部における発見応答の受信に応答して、接続先となる第二の無線通信装置を選択する接続先選択部を備える。ここで、第一の無線通信部はさらに、接続先選択部で選択された第二の無線通信装置に向けて、無線通信リンクを確立するための接続要求を送出する
　ここで、第二の無線通信装置は例示的には、無線通信リンクを確立後、遠隔の機器との通信により取得したデータを第一の無線通信装置に向けて送出する。
【００１６】
　また、本発明の第二の局面は、無線通信リンクを通じて、接続元の無線通信装置に一つ又は複数種別のサービスの提供可能な無線通信装置であって、サービスを提供する少なくとも一つのサービス提供部と、接続元から送出された発見要求を受信する無線通信部と、無線通信部における発見要求の受信に応答して、サービス提供部が現在サービスを提供可能か否かを、サービス提供部における現在のサービス提供環境に基づいて判断する第一の判断部とを備える。ここで、無線通信部はさらに、現在サービスを提供可能という第一の判断部での判断結果に従って、今回受信した発見要求に対する発見応答を送出する。
【００１７】
　また、好ましくは、無線通信部は、現在サービスを提供可能という第一の判断部での判断結果に従って、今回受信した発見要求に対して、現在提供可能なサービスを表す提供サービス情報を含む発見応答を送出する。
【００１８】
　無線通信部は好ましくは、接続元が要求するサービスを表す要求サービス情報を含む発見要求を受信する。無線通信装置はさらに、無線通信部が受信した発見要求で要求されるサービスと、サービス提供部が提供しているサービスと一致するか否かを判断する第二の判断部をさらに備える。無線通信部はさらに、両サービスが一致するという第二の判断部の判断結果と、現在サービスを提供可能という第一の判断部での判断結果とに従って、今回受信した発見要求に対する発見応答を送出する。
【００１９】
　無線通信部は好ましくは、接続元がサポートしているサービスを表す対応サービス情報を含む発見要求を受信する。無線通信装置はさらに、無線通信部が受信した発見要求で指定されるサービスを、サービス提供部が提供しているか否かを判断する第二の判断部をさらに備える。無線通信部はさらに、指定されたサービスを提供しているという第二の判断部の判断結果と、現在サービスを提供可能という第一の判断部での判断結果とに従って、今回受信した発見要求に対する発見応答を送出する。
【００２０】
　無線通信部は好ましくは、現在サービスを提供可能という第一の判断部での判断結果に従って、今回受信した発見要求に対し、サービス提供環境を含む発見応答を送出する。ここで、接続先の無線通信装置が、無線通信リンクを確立後、遠隔の機器から取得したデータを接続元の無線通信装置に向けて送出する場合、例示的には、サービス提供環境は少なくとも、接続先の無線通信装置と遠隔の機器との通信環境を含む。また、より具体的には、サービス環境情報は少なくとも、接続元の種類、接続元における電波の受信状態、接続元の通信速度及び通信コスト、並びに接続元が搭載する電池の残量及びプロセッサの処理能力のいずれかを含む。
【００２１】
　また、本発明の第三の局面は、無線通信リンクを通じて、一つ又は複数の接続先の無線通信装置が提供する複数種別のサービスの中から選択された一つのサービスの提供を受けることが可能な無線通信装置であって、無線通信リンクの確立に必要な発見要求を送出する無線通信部を備える。各接続先の候補は、少なくとも一つのサービスを提供可能であり、無線通信部から送出された発見要求の受信に応答して、自身が現在サービスを提供可能か否かを、現在のサービス提供環境に基づいて判断し、さらに、現在サービスを提供可能という判断結果に従って、今回受信した発見要求に対する発見応答を送出する。ここで、無線通信部はさらに、接続先から送出された発見応答を受信する。また、無線通信装置はさらに、無線通信部における発見応答の受信に応答して、接続先を選択する接続先選択部を備える。
【００２２】
　また、各接続先の候補は、無線通信部から送出された発見要求の受信に応答して、自身が現在サービスを提供可能である場合に、今回受信した発見要求に対して、サービス提供環境を含む発見応答を送出する。無線通信装置はさらに、サービス提供環境毎に優先順位が割り当てられた優先順位情報を記憶する優先順位記憶部を備える。ここで、接続先選択部は、優先順位記憶部が記憶する優先順位情報に基づいて、接続先を選択する。
【００２３】
　また、好ましくは、無線通信装置は、優先順位記憶部が記憶すべき優先順位情報を入力するための優先順位入力部をさらに備える。
【００２４】
　また、本発明の第四の局面は、第一の無線通信装置が無線通信リンクを通じて、一つ又は複数の第二の無線通信装置が提供する複数種別のサービスの中から選択された一つのサービスの提供を受けることが可能な無線通信システムにおいて、無線通信リンクを確立する方法であって、第一の無線通信装置から送出された発見要求の受信に応答して、第二の無線通信装置が現在サービスを提供可能か否かを、第二の無線通信装置における現在のサービス提供環境に基づいて、各第二の無線通信装置が判断する判断ステップと、現在サービスを提供可能という判断ステップでの判断結果に従って、今回受信した発見要求に対する発見応答を第二の無線通信装置が送出する第一の送出ステップと、第一の送出ステップにおける発見応答の受信に応答して、接続先となる第二の無線通信装置を第一の無線通信装置が選択する接続先選択ステップと、接続先選択ステップで選択された第二の無線通信装置に向けて、無線通信リンクを確立するための接続要求を第一の無線通信装置が送出する第二の送出ステップとを備える。
【発明の効果】
【００２５】
　以上説明したように、上述の第一〜第四の局面によれば、複数の無線通信装置の間で無線通信リンクを確立する前に、第一の無線通信装置（接続元の無線通信装置）からの発見要求に応答して、サービス提供部における現在のサービス提供環境に基づいて、現在サービスを提供可能か否かを判断した後に、現在サービスを提供可能な第二の無線通信装置（接続先の候補となる無線通信装置）だけが発見応答を送出する。第一の無線通信装置（接続元の無線通信装置）は、発見応答を送出した第二の無線通信装置（接続先の候補となる無線通信装置）から接続先を選択して、選択した接続先との間で無線通信リンクを確立する。その結果、第一の無線通信装置（接続元の無線通信装置）は、サービスを提供不可能な状態にある無線通信装置との間で無線通信リンクを確立するということがなくなる。これによって、無駄な無線通信リンクの確立を防ぐことが可能となる。さらに、第一の無線通信装置（接続元の無線通信装置）が接続先を選択可能であるため、ユーザにとっては、第二の無線通信装置の機器アドレスを指定に伴う操作の負担を軽減することが可能となる。
【００２６】
　また、発見応答に提供サービス情報を含むことにより、接続元の無線通信装置は、発見応答を送出した接続先の候補から、自分にとって好都合な接続先を選択することが可能となる。
【００２７】
　また、発見要求に要求サービス情報又は対応サービス情報を含むことにより、接続元の無線通信装置は、サービスを指定することが可能となるため、自分にとって好都合な接続先を選択することが可能となる。
【００２８】
　また、発見応答にサービス提供環境を含むことにより、接続元の無線通信装置は、接続先の候補が提供可能なサービスの環境が分かるので、自分にとって好都合な接続先を選択することが可能となる。
【００２９】
　また、接続元の無線通信装置が優先順位記憶部を含むことにより、接続先の候補の中から、自分にとって最も好条件な接続先を選択することが可能となる。
【００３０】
　また、接続元の無線通信装置が優先順位入力部を備えることにより、優先順位情報をユーザの好みに変更することができる。
【００３１】
　本発明の上記及びその他の目的、特徴、局面及び利点は、以下に述べる本発明の詳細な説明を添付の図面とともに理解したとき、より明らかになるであろう。
【発明を実施するための最良の形態】
【００３２】
（第一の実施形態）
　図１Ａ，図１Ｂ及び図１Ｃは、本発明の第一の実施形態に係る無線通信システムにおける無線接続を行う場合の手順の初期段階、中期段階及び後期段階を示す模式図である。また、図２Ａは、本無線通信システムにおける無線接続後に行われる通信の一例を示す模式図である。
【００３３】
　図１Ａ−図１Ｃにおいて、無線通信システムには、複数の無線通信装置（図示は例示的に３台）が収容される。ここで、図１Ａ−図１Ｃには、３台の無線通信装置として、Ｂｌｕｅｔｏｏｔｈのように近距離無線通信プロトコルが実装されている携帯電話１ａ、携帯電話１ｂ及びワイヤレスヘッドセット２が示されている。また、各無線通信装置は、上記プロトコルに従ってアドホックに確立された無線通信リンクを通じて、１つ又は複数の接続先の無線通信装置が提供可能な複数種別のサービスの中から選択した一つのサービスを受けることが可能である。ここで、サービスの典型例としては、音声データ、映像データ、オーディオデータ又はテキストデータの提供又は交換がある。なお、本実施形態では、上述のように、携帯電話１ａ、携帯電話１ｂ及びワイヤレスヘッドセット２が例示される。このような場合、携帯電話１ａ及び携帯電話１ｂは、主として音声データの交換というサービスを、ワイヤレスヘッドセット２に行うことになる。また、図２Ａには、携帯電話１ａ又は携帯電話１ｂが、音声通信を行う相手側の携帯電話３ａ、及びデータ通信を行う相手側のサーバ３ｂも示されている。つまり、ワイヤレスヘッドセット２には、携帯電話３ａからの音声データが送られてくる。そして、ユーザの音声データは、最終的に携帯電話３ａに送られる。このように、本システムに収容される無線通信装置同士は、厳密な意味で１対１の無線通信を行うのではなく、本システムに収容される無線通信装置同士の無線通信には、携帯電話３ａ及びサーバ３ｂ（図２Ａ参照）のような第三者的な機器が関与する場合が多い。このような第三者的な機器の状態によっては、接続先の無線通信装置は、接続元に対してサービスを提供できない場合がある。このような特質が本無線通信システムには存在する。
【００３４】
　次に、図１Ａ−図１Ｃを参照して、本システムにおける無線接続の一例として、ワイヤレスヘッドセット２が無線接続を行う場合を例に取り上げて詳説する。図１Ａに示すように、初期段階において、ワイヤレスヘッドセット２は、自身の周囲に存在する携帯電話１ａ及び１ｂに向けて、Ｂｌｕｅｔｏｏｔｈによる無線通信リンクを確立するための発見要求を送出する。
【００３５】
　また、図１Ｂに示すように、中期段階において、携帯電話１ａ及び１ｂはそれぞれ、発見要求の受信に応答して、サービス提供環境を調査し、ワイヤレスヘッドセット２に対して自身がサービスを提供可能な状況にあるか否かを判断する。ここで、サービス提供環境とは、通信環境又は機器のリソースなど、所望のサービスを提供するために不可欠となる要素のことである。本実施形態のように、通話サービスからの音声データの交換を行う場合には、各携帯電話１ａ及び１ｂは、サービス提供環境の調査の一例として、それぞれが音声通話可能な通話エリア圏内に位置するか否かを判断する。ここで、携帯電話１ａのみが通話圏内に位置し、携帯電話１ｂは通話圏外に位置すると仮定する。このような仮定下では、携帯電話１ａは、自身がサービス提供可能な状態にあると判断して、自身を特定するためのＢｌｕｅｔｏｏｔｈ機器アドレス（以下、ＢＤアドレスと称する）を含む発見応答をワイヤレスヘッドセット２に向けて送出する。逆に、携帯電話１ｂは、自身がサービス提供可能な状態にないと判断して、今回の無線接続には加わらず、発見応答を送出しない。
【００３６】
　さらに、図１Ｃに示すように、後期段階において、ワイヤレスヘッドセット２は、発見応答の受信に応答して、それに含まれるＢＤアドレスを用いて、携帯電話１ａと無線通信リンクの確立を行う。
【００３７】
　無線通信リンクの確立後、図２Ａに示すように、Ｂｌｕｅｔｏｏｔｈで規定された方法で、ワイヤレスヘッドセット２は携帯電話１ａとデータ通信を行い、それによって、遠隔の携帯電話３ａから送られてくる音声を受け取り、さらには、ユーザの音声を携帯電話３ａに送出する。また、別の状況において、ワイヤレスヘッドセット２は、確立された無線通信リンクを通じて、携帯電話１ａと通信を行って、遠隔のサーバ３ｂから送られてくる各種データを受け取ることも可能となる。
【００３８】
　以上説明した手順に従って、無線通信リンクを確立することにより、接続元の無線通信装置の一例であるワイヤレスヘッドセット２は、サービス提供不可能な状態の無線通信装置の一例である携帯電話１ｂとの無線接続を未然に防ぐことが可能となる。つまり、ワイヤレスヘッドセット２は、サービス提供可能な状態の無線通信装置の一例である携帯電話１ａとの間でＢｌｕｅｔｏｏｔｈのリンク確立を行うことができる。
【００３９】
　なお、本実施形態では、ワイヤレスヘッドセット２と携帯電話１ａとの無線接続を例として取り上げているが、別の例として図２Ｂに示すように、デジタルスチルカメラ５からプリンタ６ａ−６ｃのいずれかへ無線通信により送信した画像情報を、プリンタ６ａ−６ｃのいずれかが印刷する場合において、それぞれがサービス提供環境としてプリント用紙の補填状況やインク残量を調査する例も考えられる。この例では、第三者的な機器の存在は直接的に関係はない。また、この例では、接続先の複数の無線通信装置であるプリンタ６ａ−６ｃのサービス提供環境は、それぞれが現在有するリソース、つまり現在のプリント用紙量及び現在のインク量である。
【００４０】
　図３は、図１Ａ−図１Ｃに示す携帯電話１ａ及び１ｂの内部構成を示すブロック図である。なお、携帯電話１ａ及び１ｂは互いに同じ内部構成を有するものと仮定し、以下の説明では、単に、携帯電話１ａの内部構成について説明する。図３において、携帯電話１ａは、近距離無線データ通信のために、第一のアンテナ１０と、無線通信部１１と、応答制御部１２と、サービス提供確認部１３とを備える。ここで、無線通信部１１は、発見要求受信部１４と、応答送信部１５とを含んでいる。さらに、携帯電話１ａは、音声通話というサービスを提供するためのサービス提供部として、第二のアンテナ１６と、移動体通信部１７とを備える。
【００４１】
　図４は、図１Ａ−図１Ｃに示す携帯電話１ａ及び１ｂが無線通信リンクを確立する時に行う動作を示すフローチャートである。
【００４２】
　以下、図３及び図４を用いて、携帯電話１ａの発見要求受信後の動作について説明する。なお、携帯電話１ａ及び１ｂは互いに同じ動作を行うので、携帯電話１ｂの動作については説明を省略する。
【００４３】
　第一のアンテナ１０を通じて、発見要求受信部１４は、接続元の無線通信装置としてのワイヤレスヘッドセット２から送出された発見要求を受信する。その後、発見要求を受信したことを、発見要求受信部１４は、応答制御部１２に通知する。発見要求受信部１４からの通知に応答して、応答制御部１２は、移動体通信部１７が音声通話可能で、サービス提供が可能か否かをサービス提供確認部１３へ問い合わせる。
【００４４】
　サービス提供確認部１３は、サービス提供環境を調査して、サービスを提供可能か否かを判断する。本実施形態では、サービス提供確認部１３は、まず第二のアンテナ１６の受信状態を移動体通信部１７から取得し、携帯電話１ａが通話圏内および通話圏外のいずれに位置するかを判断する。携帯電話１ａが通話圏内に位置すると判断した場合、サービス提供確認部１３は、音声通話というサービスを携帯電話１ａが提供可能な状態にあることを示す肯定的なサービス提供情報を応答制御部１２に渡す（図４；ステップＡ１０１）。逆の判断をした場合、サービス提供確認部１３は、携帯電話１ａがサービス提供不可能な状態にあることを示す否定的なサービス提供情報を応答制御部１２に渡す（図４；ステップＡ１０１）。
【００４５】
　応答制御部１２は、サービス提供確認部１３からのサービス提供情報に応答して、今回、肯定的なサービス提供情報を受信したのか、否定的なものを受信したのかを判断する（ステップＡ１０２）。否定的なサービス提供情報を受信した場合、応答制御部１２は、発見応答を返さないように応答送信部１５に指示して（ステップＡ１０３）、図４の処理を終了する。逆に、肯定的なサービス提供情報を受信した場合、応答制御部１２は、発見応答を作成し送出するよう応答送信部１５に指示する。応答送信部１５は、応答制御部１２からの指示に応答して、自身に割り当てられているＢＤアドレスを含む発見応答を作成し、作成した発見応答を、第一のアンテナ１０を通じて送出する（ステップＡ１０４）。
【００４６】
　図５は、図１Ａ−図１Ｃに示すワイヤレスヘッドセット２の内部構成を示すブロック図である。図５において、ワイヤレスヘッドセット２は、近距離無線データ通信のために、アンテナ２０と、無線通信部２１と、接続先選択部２２と、ヘッドセット機能部２３と、スピーカ部２４と、マイク部２５とを備える。ここで、無線通信部２１は、発見要求送信部２６と、応答受信部２７とを含んでいる。
【００４７】
　図６は、図１Ａ−図１Ｃのワイヤレスヘッドセット２が無線通信リンク確立時に行う時の動作を示すフローチャートである。
【００４８】
　以下、図５及び図６を用いて、ワイヤレスヘッドセット２の動作について説明する。
【００４９】
　ワイヤレスヘッドセット２から携帯電話１ａ又は１ｂと通信を行うにあたり、まず、無線通信リンクを確立するために、発見要求送信部２６は、アンテナ２０を通じて、発見要求を送出する（図６；ステップＢ２０１）。その後、応答受信部２７は、外部から発見応答が送られてくることを待機する。応答受信部２７は、アンテナ２０を通じて、発見応答を受信すると、受信したものを接続先選択部２２に渡す。ここで、応答受信部２７は、複数の無線通信装置から発見応答を受信する場合があるが、その都度、上述の動作を行う。
【００５０】
　接続先選択部２２は、発見応答の待機終了時点で、応答受信部２７から発見応答を一つも受信していない場合（ステップＢ２０２）、ステップＢ２０３及びＢ２０４を行わずに、図６の処理を終了する。逆に、一つ以上の発見応答を受け取っている場合は、接続先選択部２２は、接続先の無線通信装置の候補から、つまり今回受け取った発見応答から、一つを選択して、選択したものからＢＤアドレスを取り出す（ステップＢ２０３）。
【００５１】
　その後、接続先選択部２２は、取り出したＢＤアドレスを無線通信部２１に渡し、さらに、ＢＤアドレスで特定される接続先の無線通信装置と無線通信リンクを確立するように指示する。この指示に応答して、無線通信部２１は、接続先選択部２２から受け取ったＢＤアドレスを含む接続要求を、アンテナ２０を通じて送出し、その後、ワイヤレスヘッドセット２は、選択した接続先の無線通信装置（図１Ｃの例では携帯電話１ａ）と無線通信リンクの確立に必要な処理を行う（ステップＢ２０４）。
【００５２】
　以上説明したように、本実施形態に係る接続元の無線通信装置では、自動的に接続先を選択することが可能となるため、接続先の機器アドレスを指定に伴う操作の負担を軽減することができる。
【００５３】
　また、図７は、図１Ａ−図１Ｃに示す各携帯電話１ａ及び１ｂとワイヤレスヘッドセット２との無線通信リンク確立時におけるシーケンスチャートである。図７において、ワイヤレスヘッドセット２の無線通信部２１はまず、発見要求を外部に送出する。ここで、携帯電話１ａ及び１ｂの双方がワイヤレスヘッドセット２からの発見要求を受信可能な範囲内に位置すると仮定すると、携帯電話１ａ及び１ｂの双方の無線通信部１１が、ワイヤレスヘッドセット２から今回送出された発見要求を受信する。その後、携帯電話１ａ及び１ｂにおいて、無線通信部１１は、上述のように、受信した発見要求を応答制御部１２に渡す。各応答制御部１２は、上述のように、各サービス提供確認部１３からのサービス提供情報に基づいて、発見応答を送信するか、送信しないかを、各応答送信部１５に指示する。
【００５４】
　ここで、上述と同様に、携帯電話１ａのみが通話圏内に位置すると仮定すると、携帯電話１ａ側でのみ、肯定的なサービス提供情報が生成される。従って、携帯電話１ａのＢＤアドレス”ＸＸ”を含む発見応答が無線通信部１１から送出される。一方、携帯電話１ｂは通話圏外に位置し、通話サービスを提供不可能なため、携帯電話１ｂにおいて、サービス提供確認部１３は、否定的なサービス提供情報を作成する。そのため、携帯電話１ｂ側の応答制御部１２は、発見応答を送信しないように、無線通信部１１に指示する。
【００５５】
　ワイヤレスヘッドセット２において、無線通信部２１は、今回送出した発見要求に対して、ＢＤアドレスが”ＸＸ”の発見応答のみを受信することになるので、携帯電話１ａに対して、ＢＤアドレス”ＸＸ”を含む接続要求を送出し、その後、携帯電話１ａと無線通信リンクの確立を行う。
【００５６】
　ここで、上述の携帯電話１ａは、以下に詳説するＳＦ（Ｓｅｒｖｉｃｅ　Ｆｌａｇ）を発見応答に設定することが好ましい。図８Ａ及び図８Ｂは、図１Ａ−図１Ｃに示す携帯電話１ａが発見応答として送信するＦＨＳ（Ｆｒｅｑｕｅｎｃｙ　Ｈｏｐ　Ｓｙｎｃｈｒｏｎｉｚａｔｉｏｎ）パケットのフレームフォーマットを示す模式図である。まず、図８Ａにおいて、ＦＨＳパケットは、ＬＡＰと、ＵＡＰと、ＮＡＰとを含んでいる。ＬＡＰは、ＦＨＳパケットを送るユニットの低位アドレスを表す。ＵＡＰは、ＦＨＳパケットを送るユニットの上位アドレスを表す。ＮＡＰは、ＦＨＳパケットを送るユニットの無効アドレスを表す。これらＬＡＰ、ＵＡＰ及びＮＡＰの三つのフィールドを合わせたものが携帯電話１ａのＢＤアドレスを表す。
【００５７】
　また、図８Ｂに示すように、ＦＨＳパケットはさらに、”Ｃｌａｓｓ　ｏｆ　ｄｅｖｉｃｅ”を含んでいる。”Ｃｌａｓｓ　ｏｆ　ｄｅｖｉｃｅ”は、ＦＨＳパケットを送るユニットのデバイスクラスを表す。また、”Ｃｌａｓｓ　ｏｆ　ｄｅｖｉｃｅ”には２４ビットが割り当てられているが、その内の１１ビットは、サービスクラス名を表す”Ｓｅｒｖｉｃｅ　Ｃｌａｓｓ”に割り当てられている。また、”Ｓｅｒｖｉｃｅ　Ｃｌａｓｓ”においては、先頭７ビットは既に規定されている。本実施形態では、”Ｓｅｒｖｉｃｅ　Ｃｌａｓｓ”において、未規定の４ビットの内、いずれか１ビットが、ＳＦ（Ｓｅｒｖｉｃｅ　Ｆｌａｇ）のフィールドとして割り当てられる。ＳＦは、サービス提供可能か否かを確認したうえで作成された発見応答であることを識別可能にするためのフラグである。
【００５８】
　発見応答にＳＦを設定することにより、本実施形態に係る携帯電話１ａと、一般的な携帯電話が混在した環境で、本実施形態に係るワイヤレスヘッドセット２が発見要求を送出した際であっても、受信した発見応答が一般的な携帯電話からのものか、サービス提供可能な携帯電話１ａからのものであるかを識別することが可能となる。
【００５９】
　ここで、図９は、ワイヤレスヘッドセット２がＳＦ付きの発見応答を受信したときの動作を示すフローチャートである。図９において、発見要求送信部２６は、ステップＢ２０１と同様に、発見要求を送出する（ステップＤ４０１）。その後、応答受信部２７は、アンテナ２０を通じて受信した発見応答を接続先選択部２２に渡す。接続先選択部２２は、ステップＢ２０２と同様に、一つ以上の発見応答を受信したか否かを判断する（ステップＤ４０２）。
【００６０】
　発見応答を受信していなければ、接続先選択部２２は、図９の処理を終了する。逆に、発見応答を受信してれば、接続先選択部２２は、今回受け取った発見応答の中にＳＦが設定されているものがあるか否かを判断する（ステップＤ４０３）。
【００６１】
　いずれの発見応答にもＳＦが設定されていないと判断した場合、接続先選択部２２は、ステップＢ２０３と同様に、一つのＢＤアドレスを取り出す（ステップＤ４０４）。逆に、ＳＦが設定されているものがあると判断した場合、接続先選択部２２は、ＳＦが設定されている発見応答から一つを選択し、選択したものからＢＤアドレスを取り出す（ステップＤ４０５）。
【００６２】
　ステップＤ４０４及びＤ４０５のいずれかの後、ステップＢ２０４と同様に、ワイヤレスヘッドセット２は、選択したＢＤアドレスで特定される接続先の無線通信装置と無線通信リンクの確立に必要な処理を行う（ステップＤ４０６）。
【００６３】
　ここで、図１０は、図８Ａ及び図８ＢのＳＦ付き発見応答の有利な点を説明するための模式図である。図１０において、ワイヤレスヘッドセット２の周囲には、本実施形態に係る携帯電話１ａ及び１ｂに加え、一般的な携帯電話４ａがある。ここで、携帯電話１ａは、通話圏内に位置することから、ワイヤレスヘッドセット２の発見要求に対して、ＳＦが付加された発見応答を返す。携帯電話１ｂは、通話圏外に位置するので、ワイヤレスヘッドセット２の発見要求に対して発見応答を返さない。しかしながら、携帯電話４ａは、本実施形態のようなサービス提供可能か否かを判断する機能がないので、ワイヤレスヘッドセット２からの発見要求に対して、ＳＦが付加されていない発見要求を返す。この場合、ワイヤレスヘッドセット２は、２個の発見要求を受け取ることになるが、図９の処理により、ＳＦ付きの発見応答を優先するので、サービス提供が可能な状態の無線通信装置（本説明では携帯電話１ａ）との間でＢｌｕｅｔｏｏｔｈのリンク確立を行うことができる確立がより高くなる。
【００６４】
　なお、逆に、一般的な無線通信装置が本実施形態に係る携帯電話１ａから発見応答を受信した場合であっても、ＳＦは元々未規定のフィールドに設定されるので、一般的な無線通信装置は、ＳＦを無視して処理するため、ＳＦの設定による不都合は生じない。
【００６５】
（第二の実施形態）
　第一の実施形態では、携帯電話１ａ及び１ｂには、一つのサービス提供部（例として、移動体通信部１７）が実装されていたが、本実施形態では、第一の実施形態の変型例として、サービス提供部を複数備える構成について述べる。また、発見応答には、無線通信装置のＢＤアドレス及び前述のＳＦに加え、本実施形態では、提供サービス情報を付加することについても述べる。
【００６６】
　なお、本実施形態において、全体的な無線通信システムの構成は、第一の実施形態つまり図１Ａ−図１Ｃと同様である。それ故、本実施形態に係る無線通信システムの図示を省略する。
【００６７】
　図１１は、第二の実施形態に係る無線通信装置としての携帯電話１ａ及び１ｂの内部構成を示すブロック図である。なお、本実施形態でも、携帯電話１ａ及び１ｂは互いに同じ内部構成を有するものと仮定し、以下の説明では、単に、携帯電話１ａの内部構成について説明する。図１１において、携帯電話１ａは、第一の実施形態のものと比較すると、近距離無線データ通信のための構成として、応答制御部１２及びサービス提供確認部１３に代えて、応答制御部３１及びサービス提供確認部３２を備える点で相違する。さらに、携帯電話１ａは、互いに異なる複数のサービス提供部として、三つのサービス提供部３３−３５を例示的に備える。これらの点を除いて、本実施形態に係る携帯電話１ａ及び１ｂは、第一の実施形態のものと相違する構成を有していない。それ故、図１１において、図３に示す構成に相当するものには同一の参照符号を付け、それぞれの説明を省略する。
【００６８】
　図１２は、図１１の携帯電話１ａ及び１ｂが無線通信リンクを確立する時に行う動作を示すフローチャートである。
【００６９】
　以下、図１１及び図１２を用いて、携帯電話１ａの発見要求受信後の動作について説明する。なお、携帯電話１ａ及び１ｂは互いに同じ動作を行うので、携帯電話１ｂの動作については説明を省略する。
【００７０】
　第一のアンテナ１０を通じて、発見要求受信部１４は、接続元の無線通信装置としてのワイヤレスヘッドセット２から送出された発見要求を受信する。その後、発見要求を受信したことを、発見要求受信部１４は、応答制御部３１に通知する。発見要求受信部１４からの通知に応答して、応答制御部３１は、サービス提供部３３−３５のうち、どれがサービス提供可能な状態にあるかを、サービス提供確認部３２へ問い合わせる。サービス提供確認部３２からの問い合わせに応じて、サービス提供部３３−３５はそれぞれ、サービス提供環境を調査した上で、自身がサービス提供可能状態か否かをサービス提供確認部３２へ通知する（ステップＥ５０１）。サービス提供確認部３２は、どのサービスを現在提供することが可能かを表すサービス提供情報を、応答制御部３１に渡す。応答制御部３１は、サービス提供情報を解析して、現在提供可能なサービスがあるか否かを判断する（ステップＥ５０２）。
【００７１】
　提供可能なサービスがないと判断した場合、前述のステップＡ１０３と同様に、応答制御部３１は、発見応答を返さないように応答送信部１５に指示して（ステップＥ５０３）、図１２の処理を終了する。逆に、応答制御部３１は、提供可能なサービスがあると判断した場合、提供サービス情報としての提供可能なサービス名（Ｂｌｕｅｔｏｏｔｈでは例えばプロファイル名）と、サービス環境情報とを応答送信部１５に渡し、さらに、発見応答を作成し送出するよう応答送信部１５に指示する。ここで、サービス環境情報は、例えば提供可能なサービス名がＨＳＰ（Ｈｅａｄｓｅｔ　Ｐｒｏｆｉｌｅ）であれば、接続先の候補となる携帯電話の電波受信状態、通信速度、通信コスト及び電池残量のように、接続
先がサービスを提供するための環境を表す情報であり、詳細については後述する。応答送信部１５は、応答制御部３１からの指示に応答して、自身に割り当てられているＢＤアドレスに加え、応答制御部３１から受け取ったサービス名及びサービス環境情報をさらに含む発見応答を作成し、作成した発見応答を、第一のアンテナ１０を通じて、送出する（ステップＥ５０４）。
【００７２】
　図１３は、本実施形態に係るワイヤレスヘッドセット２の内部構成を示すブロック図である。図１３において、ワイヤレスヘッドセット２は、第一の実施形態のものと比較すると、近距離無線データ通信のための構成として、接続先選択部２２に代えて接続先選択部４１を備える。それ以外に、本実施形態に係るワイヤレスヘッドセット２は、第一の実施形態に係るものと相違する構成を有していない。それ故、図１３において、図５の構成に相当するものには同一の参照符号を付け、それぞれの説明を省略する。
【００７３】
　図１４は、図１３のワイヤレスヘッドセット２が無線通信リンクを確立する時に行う動作を示すフローチャートである。
【００７４】
　以下、図１３及び図１４を用いて、ワイヤレスヘッドセット２の動作について説明する。
【００７５】
　発見要求送信部２６は、前述のステップＢ２０１と同様に、発見要求を送出する（ステップＦ６０１）。その後、応答受信部２７は、外部からの発見応答を受信する度に、受信した発見応答を接続先選択部４１に渡す。
【００７６】
　接続先選択部４１は、発見応答の待機終了時点で、応答受信部２７から発見応答を一つも受信していない場合（ステップＦ６０２）、図１４の処理を終了する。逆に、一つ以上の発見応答を受け取っている場合、接続先選択部４１は、今回受け取った発見応答の中に、自身が希望するサービスを提供可能な無線通信装置からの発見応答があるか否かを、各発見応答に設定されている提供可能なサービス名を使って調べる。
【００７７】
　接続先選択部４１は、自身が希望するサービスを提供可能な無線通信装置がないと判断した場合（ステップＦ６０３）、図１４の処理を終了する。例えば、本実施形態では、ワイヤレスヘッドセット２が必要とするサービス名はＨＳＰであるため、今回受け取った全発見応答にＨＳＰが設定されていない場合、接続先選択部４１は、図１４の処理を終了する。
【００７８】
　逆に、接続先選択部４１は、自身が希望するサービス名を含む発見応答を見つけた場合（ステップＦ６０３）、今回見つけた発見応答から、一つを選択して、選択したものからＢＤアドレスを取り出す（ステップＦ６０４）。その後、接続先選択部４１は、取り出したＢＤアドレスを無線通信部２１に渡し、さらに、ＢＤアドレスで特定される接続先の無線通信装置と無線通信リンクを確立するように指示する。この指示に応答して、無線通信部２１は、接続先選択部４１から受け取ったＢＤアドレスを含む接続要求を、アンテナ２０を通じて送出し、その後、ワイヤレスヘッドセット２は、選択した接続先の無線通信装置と無線通信リンクの確立に必要な処理を行う（ステップＦ６０５）。
【００７９】
　図１５は、本実施形態に係る各携帯電話１ａ及び１ｂとワイヤレスヘッドセット２との無線通信リンク確立時におけるシーケンスチャートである。図１５において、携帯電話１ａ及び１ｂは、互いに異なる複数のサービスとして、サービスα、β及びγを提供可能であり、さらに、ワイヤレスヘッドセット２は、サービスαの提供を現在受けたいと仮定する。つまり、ワイヤレスヘッドセット２は、サービスβ及びγを現在必要としていない。このような仮定下では、ワイヤレスヘッドセット２の無線通信部２１はまず、発見要求を外部に送出する。ここで、携帯電話１ａ及び１ｂの双方がワイヤレスヘッドセット２からの発見要求を受信可能な範囲内に位置すると仮定すると、携帯電話１ａ及び１ｂの双方の無線通信部１１が、ワイヤレスヘッドセット２から今回送出された発見要求を受信する。
【００８０】
　その後、携帯電話１ａ及び１ｂにおいて、無線通信部１１は、上述のように、受信した発見要求を応答制御部３１に渡す。各応答制御部３１は、上述のように、各サービス提供確認部３２からのサービス提供情報に基づいて、発見応答を送信するか、送信しないかを、各応答送信部１５に指示する。また、発見応答の送信を指示する場合には、各応答制御部３１は、提供可能なサービス名を無線通信部１１に渡す。ここで、携帯電話１ａでは、サービス名α及びγが現在提供可能であり、携帯電話１ｂでは、サービス名β及びγが現在提供可能であると仮定する。この仮定下では、携帯電話１ａの無線通信部２１からは、ＢＤアドレス”ＸＸ”と、現在提供可能なサービス名α及びγとを少なくとも含む発見応答が送出され、携帯電話１ｂ側からは、携帯電話１ｂのＢＤアドレス”ＹＹ”と、現在提供可能なサービス名β及びγとを少なくとも含む発見応答が送出される。
【００８１】
　ワイヤレスヘッドセット２において、無線通信部２１は、今回送出した発見要求に対して、二つの発見応答を受信することになるが、接続先選択部４１は、図１４の処理に従って、自身が希望するサービスαを提供可能な携帯電話１ａのＢＤアドレス”ＸＸ”を含む接続要求を送出し、その後、携帯電話１ａと無線通信リンクの確立を行う。
【００８２】
　以上の実施形態で説明した手順により、下記のような利点を得ることができる。つまり、従来の手順では、接続元の無線通信装置がまず、ある無線通信装置と無線接続を行ったが、今回の接続先の無線通信装置は、接続元にとっては不必要なサービスを提供可能であるが、接続元が必要とするサービスは提供不可能である場合がある。このような場合、接続元の無線通信装置は、他の接続先の無線通信装置と新たに無線接続し直す必要がでてくる。しかしながら、以上の実施形態で説明した手順に従って無線通信リンクを確立することで、接続元の無線通信装置の一例としてのワイヤレスヘッドセット２は、最初のリンク確立で、自身が必要とするサービスを提供可能な無線通信装置と無線接続を行うことが可能となる。その結果、無駄なリンク確立を防ぐことができる。
【００８３】
　ここで、図１６Ａは、図１１に示す携帯電話１ａ及び１ｂが発見応答として送信するＦＨＳパケットのフレームフォーマットを示す模式図である。まず、図１６Ａにおいて、ＦＨＳパケットは、”Ｃｌａｓｓ　ｏｆ　ｄｅｖｉｃｅ”を含んでいる。”Ｃｌａｓｓ　ｏｆ　ｄｅｖｉｃｅ”において、”Ｆｏｒｍａｔ　ｔｙｐｅ”のフィールドは、従来、”００”が割り当てられているが、本実施形態では、”Ｆｏｒｍａｔ　ｔｙｐｅ”として”０１”を割り当てる。これによって、”Ｃｌａｓｓ　ｏｆ　ｄｅｖｉｃｅ”について、新しいフレームフォーマットが定義される。新規に定義された”Ｃｌａｓｓ　ｏｆ　ｄｅｖｉｃｅ”において、６ビットの”Ｐｒｏｆｉｌｅ”は、無線通信装置１ａ又は１ｂが提供可能なサービス（例えばプロファイル）を設定するためのフィールドであり、図１６Ｂに示すように、サービス毎に決められたＩＤが”Ｐｒｏｆｉｌｅ”には設定される。なお、”ｒｅｓｅｒｖｅｄ”は未使用フィールドであり、１ビットのＳＦは、第一の実施形態で説明したとおりである。さらに、”Ｓｅｒｖｉｃｅ　Ｉｎｆｏｍａｔｉｏｎ”のフィールドには、サービス提供確認部３２により通知されたサービス情報が格納される。サービス情報は、提供可能なサービスに依存した項目である。例えばＨＳＰ（Ｈｅａｄｓｅｔ　Ｐｒｏｆｉｌｅ）に対するサービス環境情報としては、典型的には、端末種類、受信状態、通信速度、通信コスト及び電池残量が挙げられる。他にも、サービス環境情報としては、無線通信装置に搭載されるプロセッサの処理能力が含まれてもよい。また、端末種類としては、例えば２ビットを使って、”携帯電話”、”ＰＤＡ”及び”ＰＣ”のいずれかを特定する値が設定される。受信状態としては、例えば２ビットを使って、”弱”、”中””強”及び”ケーブル接続”のいずれかを特定する値が設定される。また、通信速度としては、例えば２ビットを使って、”９．６ｋｂｐｓ以下”、”〜３２ｋｂｐｓ”、”〜１２８ｋｂｐｓ”及び”〜７２０ｋｂｐｓ”のいずれかを特定する値が設定される。また、通信コストとしては、例えば３ビット使って、例えば”１０円／分以下”、”１０円／分”、…（中略）…、及び”１２０円／分以上”のように８段階の料金のいずれかを特定する値が設定される。さらに、電池残量としては、例えば２ビットを使って、”少”、”中”、”多”及び”ＡＣ”のいずれかを特定する値が設定される。
【００８４】
　なお、無線通信装置は、現在提供可能なサービスが複数ある場合、”Ｐｒｏｆｉｌｅ”及び”Ｓｅｒｖｉｃｅ　Ｉｎｆｏｍａｔｉｏｎ”を提供可能なサービス毎に書き換えて、提供可能なサービス数だけ発見応答を送信する。無線通信装置において現在提供可能なサービスが複数ある場合、代替的な発見応答としては、図１６Ｃに示すようなものがある。つまり、無線通信装置は、提供可能サービス数を表すフィールド”Ｎ”と、上述の”Ｐｒｏｆｉｌｅ”フィールド及び”Ｓｅｒｖｉｃｅ　Ｉｎｆｏｍａｔｉｏｎ”フィールドの組み合わせを、提供可能なサービスだけ繋げたデータ列を、発見応答として送信するＦＨＳパケットの後ろに付加して送信する。
【００８５】
　このようなサービス環境情報を接続先の無線通信装置が付加することで、接続元の無線通信装置は、複数の発見応答を受信した場合に、自身にとって適切な接続先を選択することが可能となる。例えば、接続元の無線通信装置は、できるだけ通信コストの低い無線通信装置と自動的に無線接続できるようになる。また、接続元の無線通信装置が自動的に接続先を選択することにより、ユーザは接続先のＢＤアドレスを指定する必要性が無くなるので、ユーザの操作負担が少なくなる。
【００８６】
　なお、本実施形態では、接続元としてワイヤレスヘッドセット２を例に取り上げて説明したが、その代わりに、図１７に示すように、例えばＰＤＡ（Ｐｅｒｓｏｎａｌ　Ｄｉｇｉｔａｌ　Ａｓｓｉｓｔａｎｔ）のように表示装置を搭載した無線通信装置を用いた場合には、上述のようなサービス名及びサービス情報を表示装置に表示させることにより、ユーザは、自分の意志で接続先を決定することも可能である。
【００８７】
（第三の実施形態）
　第一の実施形態では、接続元の無線通信装置の一例であるワイヤレスヘッドセット２は、接続先の無線通信装置としての携帯電話１ａが近くに存在するかどうかを知るために発見要求を送信している。しかし、本実施形態では、第一の実施形態の変型例として、ワイヤレスヘッドセット２は、自身が要求するサービスを提供可能な無線通信装置が近くに存在するか否かを知るために、要求サービスを指定して発見要求を送信する。
【００８８】
　なお、本実施形態において、全体的な無線通信システムの構成は、第一の実施形態つまり図１と同様である。それ故、本実施形態に係る無線通信システムの図示を省略する。
【００８９】
　図１８は、第三の実施形態に係る無線通信装置としての携帯電話１ａ及び１ｂの内部構成を示すブロック図である。なお、本実施形態でも、携帯電話１ａ及び１ｂは互いに同じ内部構成を有するものと仮定し、以下の説明では、単に、携帯電話１ａの内部構成について説明する。図１８において、携帯電話１ａは、第一の実施形態のものと比較すると、近距離無線データ通信のための構成として、応答制御部１２及び発見要求受信部１４に代えて、応答制御部５１及び発見要求受信部５２を備える点で相違する。この点を除いて、本実施形態に係る携帯電話１ａ及び１ｂは、第一の実施形態のものと相違する構成を有していない。それ故、図１８において、図３に示す構成に相当するものには同一の参照符号を付け、それぞれの説明を省略する。
【００９０】
　図１９は、図１８の携帯電話１ａ及び１ｂが無線通信リンクを確立する時に行う動作を示すフローチャートである。
【００９１】
　以下、図１８及び図１９を用いて、携帯電話１ａの発見要求受信後の動作について説明する。なお、携帯電話１ａ及び１ｂは互いに同じ動作を行うので、携帯電話１ｂの動作については説明を省略する。
【００９２】
　前述と同様に、発見要求受信部５２は、接続元の無線通信装置としてのワイヤレスヘッドセット２からの発見要求を受信する（図１９；ステップＧ７０１）。ここで、後の説明から明らかなように、発見要求には、ワイヤレスヘッドセット２が現在要求しているサービスを指定する情報（以下、要求サービス情報と称する）が含まれる。また、発見要求の受信後、発見要求受信部５２は、今回受け取った発見要求に含まれる要求サービス情報を取り出して、応答制御部５１に渡す。応答制御部５１は、自身が組み込まれた無線通信装置が提供可能なサービスを予め記憶しており、要求サービス情報の受け取りに応答して、今回受け取った要求サービス情報で指定されるサービスと、自身が記憶するサービスが一致するか否かを判断する（ステップＧ７０２）。両サービスが不一致と判断した場合、応答制御部５１は、発見応答を返さないように応答送信部１５に指示して（ステップＧ７０６）、図１９の処理を終了する。
【００９３】
　逆に、両サービスが一致すると判断した場合、応答制御部５１は、前述のステップＡ１０１と同様に、移動体通信部１７がサービスを現在提供可能な状態か否かをサービス提供確認部１３へ問い合わせる。サービス提供確認部１３は、今回の要求サービス情報で要求された指定されたサービスについて、第一の実施形態と同様にして、サービス提供環境を調査した上で、肯定的なサービス提供情報及び否定的なもののいずれかを応答制御部５１に渡す（ステップＧ７０４）。
【００９４】
　応答制御部５１は、前述のステップＡ１０２と同様に、今回、肯定的なサービス提供情報を受信したか否かを判断する（ステップＧ７０５）。否定的なサービス提供情報を受信した場合、応答制御部５１は、上述のステップＧ７０６を行った後、図１９の処理を終了する。逆の場合、前述のステップＡ１０４と同様に、応答制御部５１は、発見応答を作成及び送出を応答送信部１５に指示する。応答送信部１５は、指示されたとおり、発見応答を作成し送出する（ステップＧ７０３）。
【００９５】
　図２０は、本実施形態に係るワイヤレスヘッドセット２の内部構成を示すブロック図である。図２０において、ワイヤレスヘッドセット２は、第一の実施形態と比較すると、発見要求送信部２６に代えて発見要求送信部６１を備える点で相違する。それ以外に、本実施形態に係るワイヤレスヘッドセット２は、第一の実施形態に係るものと相違する構成を有していない。それ故、図２０において、図５の構成に相当するものには同一の参照符号を付け、それぞれの説明を省略する。
【００９６】
　図２１は、図２０のワイヤレスヘッドセット２が無線通信リンクを確立する時に行う動作を示すフローチャートである。
【００９７】
　以下、図２０及び図２１を用いて、ワイヤレスヘッドセット２の動作について説明する。
【００９８】
　まず、発見要求送信部６１は、アンテナ２０を通じて、ワイヤレスヘッドセット２の要求サービス情報を含む発見要求を生成し送出する（図２１；ステップＨ８０１）。その後、ワイヤレスヘッドセット２では、前述のステップＢ２０２−Ｂ２０４と同様の動作を行う（ステップＨ８０２−Ｈ８０４）。
【００９９】
　また、図２２は、本実施形態に係る各携帯電話１ａ及び１ｂとワイヤレスヘッドセット２との無線通信リンク確立時におけるシーケンスチャートである。図２２において、ワイヤレスヘッドセット２は、サービスαとして、ＨＳＰ（Ｈｅａｄｓｅｔ　Ｐｒｏｆｉｌｅ）を要求していると仮定する。この仮定下において、無線通信部２１はまず、サービスαを指定した要求サービス情報を含む発見要求を外部に送出する。ここで、携帯電話１ａ及び１ｂの双方がワイヤレスヘッドセット２の近くに位置すると仮定すると、携帯電話１ａ及び１ｂの双方の無線通信部１１が、ワイヤレスヘッドセット２から今回送出された発見要求を受信する。その後、携帯電話１ａ及び１ｂにおいて、無線通信部１１は、上述のように、受信した発見要求から取り出した要求サービス情報を応答制御部５１に渡す。ここで、携帯電話１ａのみがサービスαを提供可能であり、さらに通話圏内に位置すると仮定すると、携帯電話１ａ側の応答制御部５１は、各自が記憶するサービスαと、要求サービス情報に含まれるものとが一致するので、肯定的なサービス提供情報が生成される。従って、携帯電話１ａのＢＤアドレス”ＸＸ”を含む発見応答が無線通信部１１から送出される。一方、携帯電話１ｂはサービスαを元々提供できないため、携帯電話１ｂにおいて、応答制御部５１は、サービス提供確認部１３への問い合わせを行うことなく、発見応答を送信しないように、無線通信部１１に指示する。
【０１００】
　ワイヤレスヘッドセット２において、無線通信部２１は、今回送出した発見要求に対して、ＢＤアドレスが”ＸＸ”の発見応答のみを受信することになるので、携帯電話１ａに対して、ＢＤアドレス”ＸＸ”を含む接続要求を送出し、その後、携帯電話１ａと無線通信リンクの確立を行う。
【０１０１】
　このような要求サービス情報を接続元の無線通信装置が付加することで、接続先の無線通信装置は、自身が提供していないサービスを要求されていない場合には、発見応答を送出しなくなる。その結果、接続元の無線通信装置は、無駄なリンク確立を行う可能性が低くなり、自身が必要とするサービスの提供を、接続した無線通信装置から確実に受けることが可能となる。また、接続元の無線通信装置が自動的に接続先を選択することにより、ユーザの操作負担が少なくなる。
【０１０２】
　ここで、図２３Ａは、図２０に示すワイヤレスヘッドセット２が発見要求として送信するＰＯＬＬパケットのフレームフォーマットを示す模式図である。図２３Ａにおいて、ＰＯＬＬパケットは、”ＡＣＣＥＳＳ　ＣＯＤＥ”を含んでいる。”ＡＣＣＥＳＳ　ＣＯＤＥ”において、”ＳＹＮＣ　ＷＯＲＤ”のフィールドには、接続元の無線通信装置が要求するサービス（例えばプロファイル名）を表す”ＬＡＰ　ｖａｌｕｅ”を所定の論理演算することで生成される”ＳＹＮＣ　ＷＯＲＤ”が設定される。
【０１０３】
　図２３Ｂは、サービス毎に定められた”ＬＡＰ　ｖａｌｕｅ”の例を説明するための模式図である。図２３Ｂにおいて、プロファイル名としてのＬＡＮ（Ｌｏｃａｌ　Ａｒｅａ　Ｎｅｔｗｏｒｋ）には、０ｘ９Ｅ８Ｂ０１が割り当てられる。また、ＤＵＰ（Ｄｉａｌ　Ｕｐ　Ｎｅｔｗｏｒｋ）には、０ｘ９Ｅ８Ｂ０２が割り当てられる。また、上述のＨＳＰ及びＦＡＸ（Ｆａｃｓｉｍｉｌｅ）には、０ｘ９Ｅ８Ｂ０３及び０ｘ９Ｅ８Ｂ０４が割り当てられる。
【０１０４】
　なお、上述の実施形態では、要求サービス情報を発見要求は含んでいた。しかし、代替的に、接続元の無線通信装置は、自身がサポートしている複数のサービス、つまり対応サービス情報を発見要求に含めても良い。例えば、図２３Ｃに示すように、プロファイル名のＬＡＮ及びＤＵＰには０ｘ９Ｅ８Ｂ０３が割り当てられるようにしても良い。これにより、接続元の無線通信装置は、接続先のものに対して、ＬＡＮ及びＤＵＰという複数のサービスをサポートしていることを通知して、それらを提供可能な無線通信装置を探すことが可能となる。
【０１０５】
　（第四の実施形態）
　第二の実施形態では、ワイヤレスヘッドセット２において、複数の携帯電話１ａ及び１ｂから発見応答を受信した場合において、接続先選択部４１（図１３参照）は、接続先の候補となる複数の無線通信装置（携帯電話１ａ及び１ｂ）から一つを選択する。第四の実施形態では、接続元の無線通信装置における、接続先の選択方法の一例を述べる。
【０１０６】
　図２４は、本実施形態に係るワイヤレスヘッドセット２の内部構成を示すブロック図である。図２４において、ワイヤレスヘッドセット２は、第二の実施形態と比較すると、接続先選択部４１の代わりに接続先選択部７１を備える点と、優先順位入力部７２及び優先順位記憶部７３とをさらに備える点とで相違する。これらの点を除いて、本実施形態に係るワイヤレスヘッドセット２は、第二の実施形態のものと相違する構成を有していない。それ故、図２４において、図１３に示す構成に相当するものには同一の参照符号を付け、それぞれの説明を省略する。
【０１０７】
　図２５は、図２４のワイヤレスヘッドセット２が無線通信リンクを確立する時に行う動作を示すフローチャートである。
【０１０８】
　図２６Ａ及び図２６Ｂはそれぞれ、優先順位入力部７２により入力され優先順位記憶部７３に格納される優先順位情報の例を示す模式図である。図２６Ａの例では、優先順位情報は、優先順位毎に項目種類が割り当てられる。例えば、優先順位としての”１”には、項目種類として”受信状態”が割り当てられる。また、優先順位としての”２”、”３”、”４”及び”５”には、”通信コスト”、”電池残量”、”通信速度”及び”端末種類”が割り当てられる。図２６Ａのような優先順位情報の例に従えば、接続先の候補が複数ある場合、最も受信状態が良いものと、接続元の無線通信装置は接続を行う。また、複数の候補について受信状態が同じであった場合は、通信コストが低い候補と、接続元の無線通信装置は接続を行う。以降、電池残量、通信速度及び端末種類という優先順位に従って、接続元の無線通信装置は、接続先を選択する。
【０１０９】
　また、図２６Ｂの例では、優先順位情報は、優先順位毎に端末種類が割り当てられる。例えば、優先順位としての”１”、”２”、”３”及び”４”には、”ＰＣ（ＩＰ電話）”、”固定電話”、”ＰＨＳ（Ｐｅｒｓｏｎａｌ　Ｈａｎｄｙｐｈｏｎｅ　Ｓｙｓｔｅｍ）”及び”携帯電話”が割り当てられる。図２６Ｂのような優先順位情報の例に従えば、接続先の候補が複数ある場合、それらのいずれかがＰＣであれば、接続元の無線通信装置はＰＣと接続を行う。また、複数の候補が全てＰＣでない場合、いずれかが固定電話であれば、接続元の無線通信装置は固定電話と接続を行う。以降、ＰＨＳ及び携帯電話という優先順位に従って、接続元の無線通信装置は、接続先を選択する。
【０１１０】
　図２７は、接続先の候補となる無線通信装置から送られてくる発見要求に含まれるサービス情報（図１６Ａ−図１６Ｃ参照）の一覧を示す模式図である。図２７の例では、接続先の候補となる携帯電話１ａからのサービス情報には、５項目、つまり、受信状態、通信コスト、電池残量、通信速度及び端末種類として、”強”、”２０円／分”、”多”、”６４ｋｂｐｓ”及び”携帯電話”が設定されている。また、接続先の候補となる携帯電話１ｂからのサービス情報には、５項目、つまり、受信状態、通信コスト、電池残量、通信速度及び端末種類として、”強”、”１０円／分”、”少”、”３２ｋｂｐｓ”及び”携帯電話”が設定されている。
【０１１１】
　以下、図２４−図２７を用いて、ワイヤレスヘッドセット２の動作について説明する。
【０１１２】
　まず、ワイヤレスヘッドセット２が無線接続の処理を行う前に、優先順位入力部７２には、項目種類毎に割り当てられた優先順位が入力される。優先順位入力部７２には、端末種類毎に割り当てられた優先順位が入力される。入力された優先順位に従って、優先順位記憶部７３には、図２６Ａ及び図２６Ｂのいずれかに示すような優先順位情報が格納される。
【０１１３】
　ここで、優先順位入力部７２の例としては、ワイヤレスヘッドセット２に優先順位設定用のディップスイッチを設ける方法がある。他にも、他の無線通信装置上（例えばＰＤＡ）を使ってユーザが優先順位の設定ファイルを作成して、ＢｌｕｅｔｏｏｔｈのＳＰＰ（Ｓｅｒｉａｌ　Ｐｏｒｔ　Ｐｒｏｆｉｌｅ）を用いて設定ファイルを送信し、ワイヤレスヘッドセット２では、受信した設定ファイルに従って優先順位情報を作成し、優先順位記憶部７３に格納する方法がある。
【０１１４】
　また、優先順位記憶部７３は、例えば不揮発性メモリのように、優先順位情報を何度も設定し直すことが可能で、かつワイヤレスヘッドセット２本体の電源を切っても優先順位情報を保持できることが好ましい。
【０１１５】
　以上のようにして優先順位情報が格納された後、図２５に示す処理手順に従って、ワイヤレスヘッドセット２は、無線通信リンクを確立する。つまり、発見要求送信部２６は、前述のステップＢ２０１と同様に、発見要求を送出する（ステップＪ９０１）。その後、応答受信部２７は、外部から、サービス情報を含む発見応答（図１６Ａ−図１６Ｃ参照）を受信する度に、受信した発見応答を接続先選択部７１に渡す。
【０１１６】
　接続先選択部７１は、発見応答の待機終了時点で、応答受信部２７から発見応答を一つも受信していない場合（ステップＪ９０２）、図２５の処理を終了する。逆に、一つ以上の発見応答を受け取っている場合、接続先選択部７１は、前述のステップＦ６０３と同様に、今回受け取った発見応答の中に、自身が希望するサービスを提供可能な無線通信装置からの発見応答があるか否かを調べる。
【０１１７】
　接続先選択部７１は、自身が希望するサービスを提供可能な無線通信装置がないと判断した場合（ステップＪ９０３）、図２５の処理を終了する。逆に、接続先選択部７１は、自身が希望するサービス名を含む発見応答を見つけた場合（ステップＪ９０３）、優先情報記憶部７３に格納された優先順位情報と、今回見つけた発見応答に含まれるサービス情報とを参照して、優先順位の最も高い発見応答を一つ選択して、選択したものからＢＤアドレスを取り出す（ステップＪ９０４）。ここで、ワイヤレスヘッドセット２に今回、二つの発見応答が到着したと仮定する。さらに、一方の発見応答は、携帯電話１ａからのものであり、図２７の左側に示すようなサービス情報を含んでおり、他方の発見応答は、携帯電話１ｂからのものであり、図２７の右側に示すようなサービス情報を含んでいると仮定する。さらに、優先順位記憶部７３は、図２６Ａに示すような優先順位情報を格納していると仮定する。この仮定下では、接続先選択部７１は、双方の受信状態が良いことが分かるため、通信コストが低い携帯電話１ｂを接続先として選択する。
【０１１８】
　以上のステップＪ９０４の後、接続先選択部７１は、前述のステップＦ６０５と同様に、選択した接続先の無線通信装置と無線通信リンクを確立するように指示する。無線通信部２１は、接続先選択部７１に指示されたとおり、接続要求を作成し送出する。その後、ワイヤレスヘッドセット２は、選択した接続先の無線通信装置と無線通信リンクの確立に必要な処理を行う（ステップＪ９０５）。
【０１１９】
　以上の実施形態で説明した手順により、接続元の無線通信装置としてのワイヤレスヘッドセット２は、接続先の無線通信装置として、複数の候補が存在する場合であっても、自身にとって優先順位の高い無線通信装置と自動的に無線接続することが可能となる。また、接続元の無線通信装置が自動的に接続先を選択することにより、ユーザの操作負担が少なくなる。
【０１２０】
　以上、本発明を詳細に説明したが、上記説明はあらゆる意味において例示的なものであり限定的なものではない。本発明の範囲から逸脱することなしに多くの他の改変例及び変形例が可能であることが理解される。
【産業上の利用可能性】
【０１２１】
　本発明に係る無線通信システムは、サービス提供可能な接続先の無線通信装置と無線通信リンクを確立する無線通信装置等に適用可能である。
【図面の簡単な説明】
【０１２２】
【図１Ａ】本発明の第一の実施形態に係る無線通信システムにおける無線接続を行う場合の手順の初期段階を示す模式図
【図１Ｂ】本発明の第一の実施形態に係る無線通信システムにおける無線接続を行う場合の手順の中期段階を示す模式図
【図１Ｃ】本発明の第一の実施形態に係る無線通信システムにおける無線接続を行う場合の手順の後期段階を示す模式図
【図２Ａ】図１Ａ−図１Ｃに示す無線通信システムにおける無線接続後に行われる通信の一例を示す模式図
【図２Ｂ】第一の実施形態に係る無線通信システムの他の構成例における通信の一例を示す模式図
【図３】図１Ａ−図１Ｃに示す携帯電話１ａ及び１ｂの内部構成を示すブロック図
【図４】図１Ａ−図１Ｃに示す携帯電話１ａ及び１ｂが無線通信リンクを確立する時に行う動作を示すフローチャート
【図５】図１Ａ−図１Ｃに示すワイヤレスヘッドセット２の内部構成を示すブロック図
【図６】図１Ａ−図１Ｃのワイヤレスヘッドセット２が無線通信リンク確立時に行う時の動作を示すフローチャート
【図７】図１Ａ−図１Ｃに示す各携帯電話１ａ及び１ｂとワイヤレスヘッドセット２との無線通信リンク確立時におけるシーケンスチャート
【図８Ａ】図１Ａ−図１Ｃに示す携帯電話１ａが発見応答として送信するＦＨＳ（Ｆｒｅｑｕｅｎｃｙ　Ｈｏｐ　Ｓｙｎｃｈｒｏｎｉｚａｔｉｏｎ）パケットのフレームフォーマットを示す第一の模式図
【図８Ｂ】図１Ａ−図１Ｃに示す携帯電話１ａが発見応答として送信するＦＨＳ（Ｆｒｅｑｕｅｎｃｙ　Ｈｏｐ　Ｓｙｎｃｈｒｏｎｉｚａｔｉｏｎ）パケットのフレームフォーマットを示す第二の模式図
【図９】図５に示すワイヤレスヘッドセット２がＳＦ付きの発見応答を受信したときの動作を示すフローチャート
【図１０】図８Ａ及び図８ＢのＳＦ付き発見応答の有利な点を説明するための模式図
【図１１】第二の実施形態に係る無線通信装置としての携帯電話１ａ及び１ｂの内部構成を示すブロック図
【図１２】図１１の携帯電話１ａ及び１ｂが無線通信リンクを確立する時に行う動作を示すフローチャート
【図１３】第二の実施形態に係るワイヤレスヘッドセット２の内部構成を示すブロック図
【図１４】図１３のワイヤレスヘッドセット２が無線通信リンクを確立する時に行う動作を示すフローチャート
【図１５】第二の実施形態に係る各携帯電話１ａ及び１ｂとワイヤレスヘッドセット２との無線通信リンク確立時におけるシーケンスチャート
【図１６Ａ】図１１に示す携帯電話１ａ及び１ｂが発見応答として送信するＦＨＳパケットのフレームフォーマットを示す第一の模式図
【図１６Ｂ】図１６Ａの”Ｐｒｏｆｉｌｅ”に設定されるいくつかのＩＤを例示する模式図
【図１６Ｃ】図１１に示す携帯電話１ａ及び１ｂが発見応答として送信するＦＨＳパケットのフレームフォーマットを示す第二の模式図
【図１７】図１６Ａ又は図１６Ｃに示すプロファイル及びサービス情報の表示例を示す模式図
【図１８】第三の実施形態に係る無線通信装置としての携帯電話１ａ及び１ｂの内部構成を示すブロック図
【図１９】図１８の携帯電話１ａ及び１ｂが無線通信リンクを確立する時に行う動作を示すフローチャート
【図２０】第三の実施形態に係るワイヤレスヘッドセット２の内部構成を示すブロック図
【図２１】図２０のワイヤレスヘッドセット２が無線通信リンクを確立する時に行う動作を示すフローチャート
【図２２】第三の実施形態に係る各携帯電話１ａ及び１ｂとワイヤレスヘッドセット２との無線通信リンク確立時におけるシーケンスチャート
【図２３Ａ】図２０に示すワイヤレスヘッドセット２が発見要求として送信するＰＯＬＬパケットのフレームフォーマットを示す模式図
【図２３Ｂ】図２３Ｂに示す”ＬＡＰ　ｖａｌｕｅ”のいくつかの例を示す模式図
【図２３Ｃ】図２３Ｂに示す”ＬＡＰ　ｖａｌｕｅ”の代替例を示す模式図
【図２４】第四の実施形態に係るワイヤレスヘッドセット２の内部構成を示すブロック図
【図２５】図２４のワイヤレスヘッドセット２が無線通信リンクを確立する時に行う動作を示すフローチャート
【図２６Ａ】図２４に示す優先順位入力部７２により入力され優先順位記憶部７３に格納される優先順位情報の第一の例を示す模式図
【図２６Ｂ】図２４に示す優先順位入力部７２により入力され優先順位記憶部７３に格納される優先順位情報の第二の例を示す模式図
【図２７】図２４に示すワイヤレスヘッドセット２の接続先の候補となる無線通信装置から送られてくる発見要求に含まれるサービス情報の一覧を示す模式図
【図２８Ａ】Ｂｌｕｅｔｏｏｔｈを実装した無線通信装置同士が無線接続を行う場合の手順の初期段階を示す模式図
【図２８Ｂ】Ｂｌｕｅｔｏｏｔｈを実装した無線通信装置同士が無線接続を行う場合の手順の中期段階を示す模式図
【図２８Ｃ】Ｂｌｕｅｔｏｏｔｈを実装した無線通信装置同士が無線接続を行う場合の手順の後期段階を示す模式図
【図２９】図２８Ａ−図２８Ｃに示す各携帯電話１００ａ及び１００ｂの構成を示すブロック図
【図３０】図２８Ａ−図２８Ｃに示す各携帯電話１００ａ及び１００ｂの具体的な処理を示すシーケンスチャート
【符号の説明】
【０１２３】
１ａ，１ｂ　携帯電話（接続先の無線通信装置）
１１　無線通信部
１２，３１，５１　応答制御部
１３，３２　サービス提供確認部
１４，５２　発見要求受信部
１５　応答送信部
１７　移動体通信部
３３，３４，３５　サービス提供部
２　ワイヤレスヘッドセット（接続元の無線通信装置）
２１　無線通信部
２２，４１　接続先選択部
２３　ヘッドセット機能部
２４　スピーカ部
２５　マイク部
２６，６１，７１　発見要求送信部
２７　応答受信部
７２　優先順位入力部
７３　優先順位記憶部
【図１Ａ】
2004104774.tif 000003
【図１Ｂ】
2004104774.tif 000004
【図１Ｃ】
2004104774.tif 000005
【図２Ａ】
2004104774.tif 000006
【図２Ｂ】
2004104774.tif 000007
【図３】
2004104774.tif 000008
【図４】
2004104774.tif 000009
【図５】
2004104774.tif 000010
【図６】
2004104774.tif 000011
【図７】
2004104774.tif 000012
【図８Ａ】
2004104774.tif 000013
【図８Ｂ】
2004104774.tif 000014
【図９】
2004104774.tif 000015
【図１０】
2004104774.tif 000016
【図１１】
2004104774.tif 000017
【図１２】
2004104774.tif 000018
【図１３】
2004104774.tif 000019
【図１４】
2004104774.tif 000020
【図１５】
2004104774.tif 000021
【図１６Ａ】
2004104774.tif 000022
【図１６Ｂ】
2004104774.tif 000023
【図１６Ｃ】
2004104774.tif 000024
【図１７】
2004104774.tif 000025
【図１８】
2004104774.tif 000026
【図１９】
2004104774.tif 000027
【図２０】
2004104774.tif 000028
【図２１】
2004104774.tif 000029
【図２２】
2004104774.tif 000030
【図２３Ａ】
2004104774.tif 000031
【図２３Ｂ】
2004104774.tif 000032
【図２３Ｃ】
2004104774.tif 000033
【図２４】
2004104774.tif 000034
【図２５】
2004104774.tif 000035
【図２６Ａ】
2004104774.tif 000036
【図２６Ｂ】
2004104774.tif 000037
【図２７】
2004104774.tif 000038
【図２８Ａ】
2004104774.tif 000039
【図２８Ｂ】
2004104774.tif 000040
【図２８Ｃ】
2004104774.tif 000041
【図２９】
2004104774.tif 000042
【図３０】
2004104774.tif 000043